(57)【要約】      （修正有）【課題】タイヤシーラントタンクと、タイヤシーラントタンクに結合されるエア装置と、タンクとエア装置との間の流体連結を制御するように構成されるバルブと、バルブを制御するように構成される通貨式装置と、を具備するタイヤ修復装置の提供。【解決手段】タイヤ修復方法は、タイヤ修復装置に通貨が投入されると、タイヤシーラントをタイヤ修復装置からタイヤに供給する過程を具備する方法が備わっている。独立型通貨式タイヤ修復装置は、タイヤシーラントタンクと、タンクに動作可能に結合されるエアコンプレッサ１２と、タンクとエアコンプレッサとの間に動作可能に配列されるバルブ１６と、タンクとエアコンプレッサとの間に動作可能に配列される流量計と、エアコンプレッサ、バルブ及び流量計に動作可能に結合されるコンピュータ処理回路とを具備する装置が備わっている。【選択図】図１
2019116270.tif 000002
【特許請求の範囲】
【請求項１】
タイヤ修復装置であって、該装置は、
タイヤシーラントタンクと、
前記タイヤシーラントタンクに結合されるエア装置と、
前記タンクとエア装置との間の流体連結を制御するように構成されるバルブと、
前記エア装置に結合される流量計と、
前記流量計に結合される一掃装置と、
前記バルブを制御するように構成される通貨式装置と、
を具備することを特徴とするタイヤ修復装置。
【請求項２】
請求項１に記載のタイヤ修復装置において、前記タイヤシーラントタンクは、液状の薄片と細繊維の懸濁液、及び／又は、天然又は合成液体ゴムを収容することを特徴とするタイヤ修復装置。
【請求項３】
請求項１に記載のタイヤ修復装置において、前記タイヤシーラントタンクは、ラテックスを収容することを特徴とするタイヤ修復装置。
【請求項４】
請求項１に記載のタイヤ修復装置であって、さらに、前記エア装置、シーラントタンク、通貨式装置及び／又はバルブの１つ以上に動作可能に結合される、コンピュータ処理回路を具備することを特徴とするタイヤ修復装置。
【請求項５】
請求項４に記載のタイヤ修復装置において、前記コンピュータ処理回路は、通信用インタフェースをさらに具備することを特徴とするタイヤ修復装置。
【請求項６】
請求項５に記載のタイヤ修復装置において、前記通信用インタフェースは、情報を無線で提供及び／又は受信するように構成されることを特徴とするタイヤ修復装置。
【請求項７】
請求項６に記載のタイヤ修復装置において、前記情報は、シーラント量、受領通貨及び／又はクレジットカード情報の１つ以上を含むことを特徴とするタイヤ修復装置。
【請求項８】
請求項１に記載のタイヤ修復装置において、前記通貨式装置は、流量計に電子的に結合されることを特徴とするタイヤ修復装置。
【請求項９】
請求項１に記載のタイヤ修復装置であって、さらに、前記タイヤシーラントタンク及び／又はタンクと関連する導管に動作可能に結合される、温度制御装置を具備することを特徴とするタイヤ修復装置。
【請求項１０】
請求項１に記載のタイヤ修復装置であって、さらに、前記流量計と、前記一掃装置と、前記バルブとに動作可能に結合される、コンピュータ処理回路を具備することを特徴とするタイヤ修復装置。
【請求項１１】
タイヤを修復するための方法であって、該タイヤ修復方法は、
タイヤ修復装置を提供する過程であって、該タイヤ修復装置は、
前記タンクとエア装置との間の流体連結を制御するように構成されるバルブを介してタイヤシーラントタンクに結合されるエア装置と、
前記エア装置に結合される流量計と、
前記流量計に結合される一掃装置と、
前記流量計と、一掃装置と、バルブとに結合されるコンピュータ処理回路と、を具備する、タイヤ修復装置を提供する過程と、
エア及びシーラントを流量計を介しその後第１のタイヤに供給するために、エア装置からタイヤシーラントタンクにエアを供給する過程と、
タイヤにエア及びシーラントを供給後に、流量計とタイヤの間の導管を一掃するために一掃装置を連結する過程と、
一掃装置を連結後に、エア及びシーラントを流量計を開始その後第１のタイヤと異なる第２のタイヤに供給するために、エア装置からタイヤシーラントタンクに再度エアを供給する過程と、
を具備することを特徴とするタイヤ修復方法。
【請求項１２】
請求項１１に記載のタイヤ修復方法において、前記一掃装置を連結する過程は、シーラントを供給するために使用されるすべての導管からすべての残余シーラントを洗い流す過程を具備することを特徴とするタイヤ修復方法。
【請求項１３】
請求項１１に記載のタイヤ修復方法であって、さらに、前記タイヤシーラントをタイヤ修復装置内で流体状態に保つために、タイヤシーラントタンクに熱を提供する過程を具備することを特徴とするタイヤ修復方法。
【請求項１４】
請求項１１に記載のタイヤ修復方法であって、さらに、前記タイヤシーラントタンクに結合されるスケールを提供し、前記供給過程用に使用可能なタイヤシーラントの量を測定する過程を具備することを特徴とするタイヤ修復方法。
【請求項１５】
請求項１１に記載のタイヤ修復方法であって、さらに、供給されるタイヤシーラントの量を測定するために、前記流量計を用いる過程を具備することを特徴とするタイヤ修復方法。
【請求項１６】
請求項１１に記載のタイヤ修復方法であって、さらに、前記供給過程に応じて、タイヤ修復装置の状態を遠隔コンピュータ処理システムに信号で伝えるために、処理回路を用いる過程を具備することを特徴とするタイヤ修復方法。
【請求項１７】
請求項１１に記載のタイヤ修復方法であって、さらに、前記タイヤ修復装置から遠隔コンピュータと定期的にデータを通信するために、処理回路を用いる過程を具備することを特徴とするタイヤ修復方法。
【請求項１８】
請求項１７に記載のタイヤ修復方法において、前記データは、受領通貨及び／又はタイヤシーラント量を含むことを特徴とするタイヤ修復方法。
【請求項１９】
請求項１１に記載のタイヤ修復方法であって、さらに、前記タイヤ修復装置を遠隔コンピュータから制御する過程を具備し、前記制御過程は、タイヤ修復装置の温度を変化させる過程であることを特徴とするタイヤ修復方法。
【請求項２０】
独立型通貨式タイヤ修復装置であって、該装置は、
タイヤシーラントタンクと、
前記タンクに動作可能に結合されるエアコンプレッサと、
前記タンクとエアコンプレッサとの間に動作可能に配列されるバルブと、
前記タンクとエアコンプレッサとの間に動作可能に配列される流量計と、
前記流量計に結合される一掃装置と、
前記エアコンプレッサ、バルブ、一掃装置及び流量計に動作可能に結合されるコンピュータ処理回路と、
を具備することを特徴とする独立型通貨式タイヤ修復装置。
【発明の詳細な説明】
【技術分野】
【０００１】
［関連出願との相互参照］
本出願は、２０１２年１０月５日に提出された米国仮特許出願番号第６１／７１０，６４９号及び２０１３年３月１５日に提出された米国特許出願番号第１３／８３５，３６９号の優先権を主張し、該米国出願の記載事項はすべて参照文献として本明細書に組み込まれる。
【０００２】
［技術分野］
本発明は、タイヤ充填修復装置（アセンブリ）及び方法に関し、詳細な実施形態では、通貨式流体付加・タイヤ修復装置及び方法に関する。
【背景技術】
【０００３】
タイヤの漏れ穴個所を修復するのにタイヤに付加でき得る流体が、現在利用可能である。本発明は、これらの流体を遠隔地において有料で消費者に提供し、それにより、消費者が車両内にこれらの液体を貯蔵する手間を省くという問題に取り組んだものである。これらの流体の貯蔵が困難なのは、消費者に、これらの流体をより新しい又は未使用の別の流体と定期的に交換することを求めることにある。本発明は、これらの流体を提供するための通貨式装置及び方法を提供する。これらの装置及び方法の準備が難しいのは、少なくとも、このような流体が長期間導管内に存在すると、流体が導管を詰まらせる傾向があるという理由による。本発明の実施形態は、これらの問題を克服する方法及び装置を提供する。
【発明の概要】
【０００４】
本発明は、タイヤシーラントタンクと、タイヤシーラントタンクに結合されるエア装置と、タンクとエア装置との間の流体連結を制御するように構成されるバルブと、バルブを制御するように構成される通貨式装置と、を具備するタイヤ修復装置を提供する。
【０００５】
また、タイヤ修復方法は、タイヤ修復装置内に通貨が投入されると、タイヤシーラントをタイヤ修復装置からタイヤに供給する過程を具備する方法が備わっている。
【０００６】
また、独立型通貨式タイヤ修復装置は、タイヤシーラントタンクと、タンクに動作可能に結合されるエアコンプレッサと、タンクとエアコンプレッサとの間に動作可能に配列されるバルブと、タンクとエアコンプレッサとの間に動作可能に配列される流量計と、エアコンプレッサ、バルブ及び流量計に動作可能に結合されるコンピュータ処理回路と、を具備する装置が備わっている。
【図面の簡単な説明】
【０００７】
下記添付図面を参照して、本発明の実施形態を以下に説明する。
【図１】図１は、本発明の実施形態に係る装置である。
【図２】図２は、本発明の別の実施形態に係る装置である。
【図３】図３は、実施形態に係る図１及び／又は図２の装置と共に使用するための動作概略図である。
【発明を実施するための形態】
【０００８】
図１乃至３を参照して、本発明の装置及び方法を説明する。まず、図１を参照すると、エア圧密装置１２を含む装置１０が示されている。エア圧密装置１２は、例えば、電動式コンプレッサとすることが可能である。また、加圧エアタンクとすることも可能である。利用することができ得るエアは、例えば、純酸素でも良いし、酸素、窒素及び二酸化炭素の混合物である空気そのものであっても良い。また、例えば窒素でも良い。このエア供給部１２は、バルブ装置１６に結合しても良い。バルブ装置１６は、例えば、機械的及び／又は電気的手段によって動作可能なソレノイドバルブであれば良い。構成例によれば、機械動作のソレノイドバルブは、エアを装置１２から流体貯蔵装置１４に提供すれば良い。流体貯蔵装置１４は、例えば、金属製、又はポリプロピレン又はポリスチレン材料のような不活性プラスチック製からなり得るタンク又はその他の容器であれば良い。流体容器１４は、例えば、タイヤシーラントを収容し得る。流体は、例えば、パンク穴を塞ぐために粘性凝固特性が変化する液体ラテックスベースの、液体ゴムベースの合成発泡剤とすることができる。装置１２から液体容器１４を介してエアを供給するためのバルブ１６の制御は、ユーザインタフェースによって行うことができる。ユーザインタフェースは、機械的及び／又は電気的であれば良い。ユーザインタフェースは、例えば、コンピュータにより動作されても良い。ユーザインタフェースは、動作用にコイン又はドル紙幣のようなその他の通貨を受領できるような構成にすれば良い。ユーザインタフェースは、動作用にクレジットカードを受け取れる構成にしても良い。バルブソレノイドが始動すると、エアをエア貯蔵装置１２から流体容器１４に供給することができ、流体とエアを、所望通りに、再充填及び／又は修復のために、タイヤに供給することができる。エア装置１２と流体装置１４とを接続する配管及びタイヤへの配管は、タンク１４内のシーラント材料の凝固を促進することのない不活性物質から構成され得る。構成例によれば、タイヤの修復及び／又は充填が容易になるように、一連の手順を開始することが可能である。例えば、装置１０が動作を始めると、少量のエアをタイヤに追加することが可能になり、次に、タイヤシーラントをタイヤに供給するために、ソレノイドが係合し、次に、所望量のタイヤシーラント又は所定量のタイヤシーラントが追加され、そしてその後に、エアが管を介してタイヤに供給される。このような方式によって、次に使用するために、装置から出ている管から、シーラントを除去することが可能になる。
【０００９】
図２を参照すると、別の実施形態に係る装置２０が備えられている。構成例によれば、装置２０は、ここに示されるような、エアコンプレッサであるエア装置１２を含んでいる。装置２０は、バルブ装置１６及びタンク装置１４を含むことができる。装置２０は、インタフェース２２を含むこともできる。ここに示されるように、インタフェース２２は、コイン式インタフェースとすることもできる。装置２０は、トップカバー３０と、装置２０内部に相当数の装置を包含するハウジング２８に接続されても良いドアパネル３２とを含むことが可能である。装置２０は、充填用にタイヤ２６まで延ばすために利用され得るタイヤホースのような管２４を含むことも可能である。
【００１０】
装置２０から分かるように、デザインによって、修復保守のための手段を、装置２０の異なる構成要素に提供することができる。例えば、修復・保守用に、エア装置１２へ接近可能なように、カバー３０を装置２０から取り外すことができる。また、タンク１４の修復・保守及び／又は再充填が可能なように、ドア３２をハウジング２８に結合することもできる。実装例によれば、タンク１４は、硬質の側壁を有していなくても良い詰め替え用タンクとすることができる。タンクは、単に、タンク内に吊り下げられる軟質の側壁を有する袋状のものでも良い。これらのタンクは、装置１２のハードウェアへの着脱を可能にする簡易留め金構造、即ち、スナップ式のものを有することができる。実装例によれば、修復・充填手順が始まると、コンプレッサ１２を暫くの間始動させ、タイヤ２６に供給するのに十分な圧力とエアを作り出すことができ、所定の時間で又は望ましい時間で、バルブ１６を係合させ、タンク１４から配管２４を介して流体をタイヤ２６に供給することができる。望ましい時間及び／又は量の流体がタイヤ２６に供給されると、終了又は洗浄手順が開始され、タイヤ管２４のような管から流体を除去することが可能になる。
【００１１】
図３を参照すると、タイヤ修復装置５０は、タイヤシーラントタンク５１を含んでいる。タンク５１は、製品貯蔵タンクとして構成することができ、他の未承認シーラントの利用を防止するために、製作／操作者により設計されたインタフェースだけを受け入れる専用充填ユニットを含むことができ得る。タンク５１には、液状の薄片と細繊維の懸濁液、及び／又は、天然又は合成液体ゴムを収容可能である。材料例としては、ラテックス材料がある。
【００１２】
ダイアフラムポンプ、ピストン又はスクリューポンプ及び／又は気圧ポンプのようなエアコンプレッサを含み得る圧力ユニットのようなエア装置５２を、圧力ユニット製品接続部５９を介して、タイヤシーラントタンク５１に結合することができる。接続部５９のような接続は、装置５２の構成要素を動作可能に結合するのに使用できる。この場合、動作可能な結合は、流体連結である。実装例によれば、これらの構成要素間の流体連結と、装置内のすべての構成要素間の流体連結は、バルブ及び／又は流量計の一方又は組み合わせによって制御することができる。
【００１３】
ここに示されたように、装置５０は通貨式装置を含んでいる。この装置は、構成要素間の流体連結に沿って動作可能に配列された１つ以上のバルブ及び／又は流量計に機械的及び／又は電子的に結合することができ得る。一実施例では、機械的結合によって、バルブ及び／又は流量計を係合／非係合状態にすることが可能である。
【００１４】
別の実装例によれば、装置５０は、コンピュータ処理回路７０を含み得る。回路７０は、装置５０のバルブ及び／又は流量計を制御するように、さらには、装置５０のその他の構成要素を記録／制御するように構成／使用することができる。回路７０は、処理回路７２及び記憶回路７４を含み得る。回路７０は、例えば、有線又は無線インタフェース方式のユーザインタフェースを有し得る。処理回路の実施例は、無線通信装置のような通信回路、例えば、ＷｉＦｉ装置を含むことができるが、このような通信回路に限定されるわけではない。通信回路の実施例は、ＷｉＦｉ接続部を備えたミニコンピュータとすることができる。
【００１５】
処理回路は、少なくとも一実施形態では、適切な媒体によって供給される所望のプログラムを実装するように構成された回路を備えても良い。例えば、処理回路は、例えばソフトウェア及び／又はファームウェア命令を含む実行可能な命令を実行するように構成された１つ以上のプロセッサ及び／又はその他の構成、及び／又はハードウェア回路として実装しても良い。処理回路の実施形態としては、ハードウェア論理、ＰＧＡ、ＦＰＧＡ、ＡＳＩＣ、状態機械、及び／又は、その他の構成、又は単体又はプロセッサとの組み合わせがある。これらの処理回路の実施例は、例示が目的でありその他の構成も可能である。
【００１６】
ここに記述したいくつかの実施形態又は態様は、適切なプロセッサ使用可能媒体に記憶され、及び／又は、ネットワーク又はその他の伝送媒体を介して伝達され、適切な処理回路を制御するように構成されたプログラムを使用することで実装されれば良い。例えば、プログラムは、製品内で実施されるもの、通信ネットワーク（例えば、インターネット及び／又はプライベートネットワーク）、有線電気的接続、光学的接続及び／又は電磁エネルギのような適切な伝送媒体を介して、例えば通信用インタフェースを介して伝達されるデータ信号（例えば、変調搬送波、データパケット、デジタル表現等）内で実施されるものを含む適切な媒体を介して提供されれば良いし、その他の適切な通信構造又は媒体を介して提供されても良い。プロセッサ使用可能コードを含むプログラムの例は、搬送波の内で実施されるデータ信号として伝達させることができるが、それは一例である。
【００１７】
記憶回路は、情報記憶用の電子、磁気、光学、電磁気又はその他の技術を使用することで、多種多様な方法で実施されれば良い。いくつかの記憶回路の具体例としては、フロッピディスクのような携帯磁気コンピュータディスク、ＺＩＰディスク、ハードドライブ、ランダムアクセスメモリ、読出し専用メモリ、フラッシュメモリ、キャッシュメモリ、及び／又は、プログラム、データ又はその他のデジタル情報が記憶可能なその他の構成があるが、それらに限定されるわけではない。一実施形態では、記憶回路は、処理回路によって実装されるプログラムを記憶しても良い。
【００１８】
ユーザインタフェースは、ユーザへのデータ（例えば、ユーザによる観測用の表示データ、ユーザへの音声通信データ等）の伝達、及び、ユーザからの入力（例えば、触覚入力、音声指示等）の受け取りを含めて、ユーザと対話するように構成されている。したがって、一実施形態では、ユーザインタフェースは、視覚情報及び音声システムを表示するように構成されたディスプレイ（例えば、ブラウン管、ＬＣＤ等）、及び、キーボード、マウス及び／又はその他の入力装置を含めば良い。例えば、このインタフェースは通貨装置と一体化しても良い。また、ユーザとの対話用のその他のあらゆる適当な装置を利用しても良い。
【００１９】
回路は、エア装置、シーラントタンク、通貨式装置及び／又はバルブの１つ以上と動作可能に結合されている。インタフェースを介して、シーラント量、受領通貨及び／又はクレジットカード情報の１つ以上のような情報を、遠隔コンピュータに提供することが可能である。
【００２０】
装置５０は、エア装置及びタイヤシーラント容器と関連する一掃装置を含むこともできる。したがって、圧力ユニット一掃装置５６は、圧力ユニット一掃接続部６４を介して、エア装置５２に動作可能に結合できる流量計５７に直結することができる。
【００２１】
装置５０は、タイヤシーラントタンク５１及び／又は当該タンクと関連する導管に動作可能に結合された温度制御部５５のような温度制御装置を含むことも可能である。
【００２２】
流量計５７のような流量計が、タイヤシーラントタンクの出口並びに装置５２及び５６に動作可能に結合されても良い。
【００２３】
装置５０は、使用済み／使用可能なシーラント量に関するデータを取得するために、タンク５１と動作可能に係合でき得るスケール５３を含むことも可能である。このデータは、回路７０によって取得／処理することができ得る。スケール５３は、容量センサを含むことが可能であり、及び／又は、シーラント液面は、例えば、ウェイトフロート方式、目視ウィンドウによって測定しても良い。シーラントの流量を調節するために、時間流量コントローラ５４を利用しても良く、及び／又は、夜間に加熱及び／又は日中に冷却を行うために、装置５０の温度制御を利用しても良い。
【００２４】
各装置を動作可能に接続するために、接続部５８、６０、６１、６２及び／又は６３を利用することが可能である。動作可能な接続部は、例えば、流体導管及び電線管を含むことができる。
【００２５】
本発明の装置は、動作用電源しか必要としない独立型ユニットとして提供しても良く、又は、装置の構成要素を、既存ユニット及び再構成された既存ユニットに提供することが可能である。
【００２６】
提供された装置によれば、タイヤ修復方法は、タイヤ修復装置に通貨が投入されると、タイヤ修復装置からタイヤにタイヤシーラントを供給することを含むことが可能である。ある実施例形態によれば、シーラントの供給後に、シーラントを供給するために使用されたすべての導管からすべての残余シーラントを洗い流すことが可能である。
【００２７】
例えば、温度を制御することによって、タイヤシーラントを流体状態に保つことが可能であり、この制御は、例えば、所定の計画に従って行うことも、遠隔命令に応じて行うこともできる。別の遠隔制御例では、シーラントの供給時に、処理回路が、タイヤ修復装置の状態を遠隔コンピュータ処理システムに信号で伝えることが可能である。これは定期的に行うことも可能であり、データは２つのシステム間で交換可能であり、このようなデータは使用可能／使用済みシーラント量及び／又は受領通貨を含むことが可能である。
【００２８】
＜付記：ＰＣＴ出願時のオリジナルクレーム１−２０＞
［項目１］
タイヤ修復装置であって、該装置は、
タイヤシーラントタンクと、
前記タイヤシーラントタンクに結合されるエア装置と、
前記タンクとエア装置との間の流体連結を制御するように構成されるバルブと、
前記バルブを制御するように構成される通貨式装置と、
を具備することを特徴とするタイヤ修復装置。
［項目２］
項目１に記載のタイヤ修復装置において、前記タイヤシーラントタンクは、液状の薄片と細繊維の懸濁液、及び／又は、天然又は合成液体ゴムを収容することを特徴とするタイヤ修復装置。
［項目３］
項目１に記載のタイヤ修復装置において、前記タイヤシーラントタンクは、ラテックスを収容することを特徴とするタイヤ修復装置。
［項目４］
項目１に記載のタイヤ修復装置であって、さらに、前記エア装置、シーラントタンク、通貨式装置及び／又はバルブの１つ以上に動作可能に結合される、コンピュータ処理回路を具備することを特徴とするタイヤ修復装置。
［項目５］
項目４に記載のタイヤ修復装置において、前記コンピュータ処理回路は、通信用インタフェースをさらに具備することを特徴とするタイヤ修復装置。
［項目６］
項目５に記載のタイヤ修復装置において、前記通信用インタフェースは、情報を無線で提供及び／又は受信するように構成されることを特徴とするタイヤ修復装置。
［項目７］
項目６に記載のタイヤ修復装置において、前記情報は、シーラント量、受領通貨及び／又はクレジットカード情報の１つ以上を含むことを特徴とするタイヤ修復装置。
［項目８］
項目１に記載のタイヤ修復装置であって、さらに、前記エア装置及びタイヤシーラント容器と関連する一掃装置を具備することを特徴とするタイヤ修復装置。
［項目９］
項目１に記載のタイヤ修復装置であって、さらに、前記タイヤシーラントタンク及び／又はタンクと関連する導管に動作可能に結合される、温度制御装置を具備することを特徴とするタイヤ修復装置。
［項目１０］
項目１に記載のタイヤ修復装置であって、さらに、前記タイヤシーラントタンクの出口に動作可能に結合される、流量計を具備することを特徴とするタイヤ修復装置。
［項目１１］
タイヤを修復するための方法であって、該タイヤ修復方法は、タイヤ修復装置内に通貨が投入されると、タイヤシーラントをタイヤ修復装置からタイヤに供給する過程を具備することを特徴とするタイヤ修復方法。
［項目１２］
項目１１に記載のタイヤ修復方法であって、さらに、前記シーラント供給過程の後に、シーラントを供給するために使用されるすべての導管からすべての残余シーラントを洗い流す過程を具備することを特徴とするタイヤ修復方法。
［項目１３］
項目１１に記載のタイヤ修復方法であって、さらに、前記タイヤシーラントをタイヤ修復装置内で流体状態に保つ過程を具備することを特徴とするタイヤ修復方法。
［項目１４］
項目１１に記載のタイヤ修復方法であって、さらに、前記供給過程用に使用可能なタイヤシーラントの量を測定する過程を具備することを特徴とするタイヤ修復方法。
［項目１５］
項目１１に記載のタイヤ修復方法であって、さらに、供給されるタイヤシーラントの量を測定する過程を具備することを特徴とするタイヤ修復方法。
［項目１６］
項目１１に記載のタイヤ修復方法であって、さらに、前記供給過程に応じて、タイヤ修復装置の状態を遠隔コンピュータ処理システムに信号で伝える過程を具備することを特徴とするタイヤ修復方法。
［項目１７］
項目１１に記載のタイヤ修復方法であって、さらに、前記タイヤ修復装置から遠隔コンピュータと定期的にデータを通信する過程を具備することを特徴とするタイヤ修復方法。
［項目１８］
項目１２に記載のタイヤ修復方法において、前記データは、受領通貨及び／又はタイヤシーラント量を含むことを特徴とするタイヤ修復方法。
［項目１９］
項目１１に記載のタイヤ修復方法であって、さらに、前記タイヤ修復装置を遠隔コンピュータから制御する過程を具備し、前記制御過程は、タイヤ修復装置の温度を変化させる過程であることを特徴とするタイヤ修復方法。
［項目２０］
独立型通貨式タイヤ修復装置であって、該装置は、
タイヤシーラントタンクと、
前記タンクに動作可能に結合されるエアコンプレッサと、
前記タンクとエアコンプレッサとの間に動作可能に配列されるバルブと、
前記タンクとエアコンプレッサとの間に動作可能に配列される流量計と、
前記エアコンプレッサ、バルブ及び流量計に動作可能に結合されるコンピュータ処理回路と、
を具備することを特徴とする独立型通貨式タイヤ修復装置。
【図１】
2019116270.tif 000003
【図２】
2019116270.tif 000004
【図３】
2019116270.tif 000005
【手続補正書】
【提出日】平成31年3月20日(2019.3.20)
【手続補正１】
【補正対象書類名】特許請求の範囲
【補正対象項目名】全文
【補正方法】変更
【補正の内容】
【特許請求の範囲】
【請求項１】
タイヤ修復装置であって、当該装置は、
タイヤシーラントを収容したタンクと、
前記タンクに結合されると共に、大気圧よりも大きな圧力でエアを提供するように構成されたエア装置と、
前記タンクと前記エア装置との間の流体連結を制御するように構成されたバルブと、
前記エア装置に結合された流量計と、
前記流量計に結合された一掃装置と、
を具備することを特徴とするタイヤ修復装置。
【請求項２】
請求項１に記載のタイヤ修復装置において、前記タイヤシーラントは、液状の薄片と細繊維の懸濁液、及び／又は、天然もしくは合成液体ゴムを含んでなることを特徴とするタイヤ修復装置。
【請求項３】
請求項１に記載のタイヤ修復装置において、前記タイヤシーラントは、ラテックスを含んでなることを特徴とするタイヤ修復装置。
【請求項４】
請求項１に記載のタイヤ修復装置であって、さらに、前記エア装置、前記タンク及び／又は前記バルブの１つ以上に動作可能に結合される、コンピュータ処理回路を具備することを特徴とするタイヤ修復装置。
【請求項５】
請求項４に記載のタイヤ修復装置において、前記コンピュータ処理回路は、通信用インタフェースをさらに具備することを特徴とするタイヤ修復装置。
【請求項６】
請求項５に記載のタイヤ修復装置において、前記通信用インタフェースは、情報を無線で提供及び／又は受信するように構成されることを特徴とするタイヤ修復装置。
【請求項７】
請求項６に記載のタイヤ修復装置において、前記情報は、シーラント量を含むことを特徴とするタイヤ修復装置。
【請求項８】
請求項１に記載のタイヤ修復装置であって、さらに、前記バルブを制御するように構成される通貨式装置を具備することを特徴とするタイヤ修復装置。
【請求項９】
請求項１に記載のタイヤ修復装置であって、さらに、前記タンク及び／又はそのタンクと関連する導管に動作可能に結合された温度制御装置を具備することを特徴とするタイヤ修復装置。
【請求項１０】
請求項８に記載のタイヤ修復装置であって、さらに、前記通貨式装置に動作可能に結合される、コンピュータ処理回路を具備することを特徴とするタイヤ修復装置。
【外国語明細書】
2019116270000001.pdf